(57)【要約】【課題】  ミリ波帯の周波数で無線通信を行う構成にすることで、低コストで且つ安定した信号伝送が可能な送信装置，受信装置，送受信システム及び送受信方法を提供する。【解決手段】  送信装置１はＰ／Ｓ変換部１０と直並列変換器１１とＱＰＳＫ変調部１２とアンテナ部１３とを有し、受信装置２はアンテナ部２０とＱＰＳＫ復調部２１とＦＰＧＡ２１ＤとＳ／Ｐ変換部２２とを有する。送信装置１は、パラレル入力したデジタル信号をＰ／Ｓ変換部１０でシリアル変換し、ＱＰＳＫ変調部１２に入力する。そして、ＱＰＳＫ変調部１２で、ミリ波帯の周波数６０ＧＨｚで変調してアンテナ部１３から無線送信する。受信装置２は、アンテナ部２０で受信した信号をＱＰＳＫ復調部２１に入力し、周波数６０ＧＨｚで復調してＳ／Ｐ変換部２２にシリアル入力する。シリアル信号をＳ／Ｐ変換部２２でパラレル変換して出力する。【選択図】図１
2006352623.tif 000002
【特許請求の範囲】
【請求項１】
パラレルのデジタル信号をシリアルのデジタル信号に変換するパラレル−シリアル変換部と、
このパラレル−シリアル変換部からのシリアル信号を分岐する分岐部と、
この分岐部で分岐された信号をミリ波帯の周波数でそれぞれ変調して同相成分と直交成分とを生成した後、これら同相成分と直交成分とを重畳して出力するＱＰＳＫ変調部と、
このＱＰＳＫ変調部からの重畳信号を無線送信するアンテナ部と
を具備することを特徴とする送信装置。
【請求項２】
ミリ波帯の周波数でＱＰＳＫ変調された重畳信号を受信するアンテナ部と、
このアンテナ部で受信した重畳信号を変調周波数と同じミリ波帯の周波数で復調してシリアル信号を生成するＱＰＳＫ復調部と、
このＱＰＳＫ復調部からのシリアル信号をパラレルのデジタル信号に変換するシリアル−パラレル変換部と
を具備することを特徴とする受信装置。
【請求項３】
請求項１に記載の送信装置と請求項２に記載の受信装置とを備えた、
ことを特徴とする送受信システム。
【請求項４】
パラレルのデジタル信号をシリアルのデジタル信号に変換するパラレル−シリアル変換部と、
このパラレル−シリアル変換部からのシリアル信号を分岐する分岐部と、
この分岐部で分岐された信号をマイクロ波帯の周波数でそれぞれ変調して同相成分と直交成分とを生成した後、これら同相成分と直交成分とを重畳して出力するＱＰＳＫ変調部と、
このＱＰＳＫ変調部からの重畳信号をミリ波帯の周波数にアップコンバートするアップコンバート部と、
このアップコンバート部からの重畳信号を無線送信するアンテナ部と
を具備することを特徴とする送信装置。
【請求項５】
マイクロ波帯の周波数でＱＰＳＫ変調され且つミリ波帯の周波数でアップコンバートされた重畳信号を受信するアンテナ部と、
このアンテナ部で受信した重畳信号をミリ波帯の周波数でダウンコンバートするダウンコンバート部と、
このダウンコンバート部からの重畳信号を変調周波数と同じマイクロ波帯の周波数で復調してシリアル信号を生成するＱＰＳＫ復調部と、
このＱＰＳＫ復調部からのシリアル信号をパラレルのデジタル信号に変換するシリアル−パラレル変換部と
を具備することを特徴とする受信装置。
【請求項６】
請求項４に記載の送信装置と請求項５に記載の受信装置とを備えた、
ことを特徴とする送受信システム。
【請求項７】
それぞれがデジタル信号をミリ波帯の周波数で変調して同相成分と直交成分とを生成した後、これら同相成分と直交成分とを重畳して出力するＱＰＳＫ変調部であって且つ変調周波数がそれぞれ異なる複数のＱＰＳＫ変調部と、
これら複数のＱＰＳＫ変調部から出力された複数の重畳信号を周波数多重化して出力する多重部と、
この多重部からの多重化信号を無線送信するアンテナ部と
を具備することを特徴とする送信装置。
【請求項８】
ミリ波帯の異なる周波数でＱＰＳＫ変調された複数の重畳信号が周波数多重化された信号を受信するアンテナ部と、
このアンテナ部で受信した多重化信号を周波数分離する分離部と、
この分離部で周波数分離された重畳信号をミリ波帯の周波数で復調してパラレル信号を出力するＱＰＳＫ復調部であって且つ復調周波数がそれぞれ異なる複数のＱＰＳＫ復調部と
を具備することを特徴とする受信装置。
【請求項９】
請求項７に記載の送信装置と請求項８に記載の受信装置とを備えた、
ことを特徴とする送受信システム。
【請求項１０】
それぞれがデジタル信号をマイクロ波帯の周波数で変調して同相成分と直交成分とを生成した後、これら同相成分と直交成分とを重畳して出力するＱＰＳＫ変調部であって変調周波数がそれぞれ異なる複数のＱＰＳＫ変調部と、
これら複数のＱＰＳＫ変調部から出力された複数の重畳信号を周波数多重化して出力する多重部と、
この多重部からの多重化信号をミリ波帯の周波数にアップコンバートするアップコンバート部と、
このアップコンバート部からの多重信号を無線送信するアンテナ部と
を具備することを特徴とする送信装置。
【請求項１１】
マイクロ波帯の異なる周波数でＱＰＳＫ変調された複数の重畳信号が周波数多重され且つミリ波帯の周波数でアップコンバートされた多重化信号を受信するアンテナ部と、
このアンテナ部で受信した多重化信号をミリ波帯の周波数でダウンコンバートするダウンコンバート部と、
このダウンコンバート部からの多重化信号を周波数分離する分離部と、
この分離部で周波数分離された重畳信号をマイクロ波帯の周波数で復調してパラレル信号を出力するＱＰＳＫ復調部であって且つ復調周波数がそれぞれ異なる複数のＱＰＳＫ復調部と
を具備することを特徴とする受信装置。
【請求項１２】
請求項１０に記載の送信装置と請求項１１に記載の受信装置とを備えた、
ことを特徴とする送受信システム。
【請求項１３】
パラレルのデジタル信号をシリアルのデジタル信号に変換し、これらのシリアル信号をミリ波帯の周波数でＱＰＳＫ変調して同相成分と直交成分との重畳信号を生成し、この重畳信号を無線伝送する送信過程と、
受信した上記重畳信号をミリ波帯の周波数でＱＰＳＫ復調してシリアル信号を生成した後、これらのシリアル信号をパラレルのデジタル信号に変換する受信過程と
を具備することを特徴とする送受信方法。
【請求項１４】
パラレルのデジタル信号をシリアルのデジタル信号に変換し、これらのシリアル信号をマイクロ波帯の周波数でＱＰＳＫ変調して同相成分と直交成分との重畳信号を生成し、この重畳信号をミリ波帯の周波数にアップコンバートした後、このアップコンバートされた重畳信号を無線伝送する送信過程と、
受信した重畳信号をミリ波帯の周波数でダウンコンバートした後、このダウンコンバートされた重畳信号をマイクロ波帯の周波数でＱＰＳＫ復調してシリアル信号を生成し、これらのシリアル信号をパラレルのデジタル信号に変換する受信過程と
を具備することを特徴とする送受信方法。
【請求項１５】
デジタル信号をミリ波帯の周波数でＱＰＳＫ変調して生成される同相成分と直交成分との重畳信号であって且つ変調周波数がそれぞれ異なる複数の重畳信号を生成し、これら複数の重畳信号を周波数多重化して無線伝送する送信過程と、
受信した上記多重化信号を各重畳信号に周波数分離した後、各重畳信号をミリ波帯の周波数でＱＰＳＫ復調してパラレル信号を生成する受信過程と
を具備することを特徴とする送受信方法。
【請求項１６】
デジタルの信号をマイクロ波帯の周波数でＱＰＳＫ変調して生成される同相成分と直交成分との重畳信号であって且つ変調周波数がそれぞれ異なる複数の重畳信号を生成し、これら複数の重畳信号を周波数多重化した後、この多重化信号をミリ波帯の周波数にアップコンバートして無線伝送する送信過程と、
受信した上記多重化信号をミリ波帯の周波数でダウンコンバートした後、このダウンコンバートされた多重化信号を各重畳信号に周波数分離し、各重畳信号をマイクロ波帯の周波数でＱＰＳＫ復調してパラレル信号を生成する受信過程と
を具備することを特徴とする送受信方法。
【発明の詳細な説明】
【技術分野】
【０００１】
この発明は、ＰＤＰ（Plasma Display Panel）や液晶ディスプレイ等に映像信号を無線で送信して映像を表示させる送信装置，受信装置，送受信システム及び送受信方法に関するものである。
【背景技術】
【０００２】
従来、この種の送受信システムでは、例えば特許文献１ないし特許文献５に開示されているように、映像データ等を光無線で送信装置から受信装置に送信する構成をとっている。
具体的には、特許文献１に開示の如く、送信装置側で、映像データを多重化し、この多重信号をシリアルデータに変換する。そして、このシリアルなデジタル映像信号を発光部から光無線によって、受信装置側に伝送する。一方、受信装置側では、伝送されたデジタル映像の光無線信号を受光部で受光して、シリアルなデジタル映像信号をパラレルデータに変換する。そして、このパラレルデータを逆符号変換した後、デジタル画素データをＰＤＰ等のディスプレイに表示するようにしている。
【０００３】
【特許文献１】特開２００４−１１２６４７号公報
【特許文献２】特開２００４−２６０８１１号公報
【特許文献３】特開平０６−２３２８１８号公報
【特許文献４】特開２００４−３４９７９７号公報
【特許文献５】特開２００４−３４９９６８号公報
【発明の開示】
【発明が解決しようとする課題】
【０００４】
しかし、上記した従来の送受信システムでは、次のような問題がある。
デジタル映像信号を光無線で伝送するので、送信装置側受信装置側との光軸合わせが必要である。このため、光軸合わせを行うための特別な機構が必要となり、その分、システムのコストが高くなってしまう。
また、光無線で伝送するので、受信装置と送信装置との間の光路上に、紙や煙等の障害物が存在すると、光がその障害物で容易に遮断され、ディスプレイ上の映像が切れる事態が生じる。
【０００５】
この発明は、上述した課題を解決するためになされたもので、ミリ波帯の周波数で無線通信を行う構成にすることで、低コストで且つ安定した信号伝送が可能な送信装置，受信装置，送受信システム及び送受信方法を提供することを目的とする。
【課題を解決するための手段】
【０００６】
上記課題を解決するために、請求項１の発明に係る送信装置は、パラレルのデジタル信号をシリアルのデジタル信号に変換するパラレル−シリアル変換部と、このパラレル−シリアル変換部からのシリアル信号を分岐する分岐部と、この分岐部で分岐された信号をミリ波帯の周波数でそれぞれ変調して同相成分と直交成分とを生成した後、これら同相成分と直交成分とを重畳して出力するＱＰＳＫ変調部と、このＱＰＳＫ変調部からの重畳信号を無線送信するアンテナ部とを具備する構成とした。
かかる構成により、パラレルのデジタル信号が、パラレル−シリアル変換部でシリアルのデジタル信号に変換され、シリアル信号が、分岐部で分岐される。そして、分岐された信号が、ＱＰＳＫ変調部において、ミリ波帯の周波数でそれぞれ変調され、同相成分と直交成分とが生成される。しかる後、これら同相成分と直交成分とが重畳されてＱＰＳＫ変調部から出力される。すると、この重畳信号がアンテナ部によって無線送信される。
【０００７】
請求項２の発明に係る受信装置は、ミリ波帯の周波数でＱＰＳＫ変調された重畳信号を受信するアンテナ部と、このアンテナ部で受信した重畳信号を変調周波数と同じミリ波帯の周波数で復調してシリアル信号を生成するＱＰＳＫ復調部と、このＱＰＳＫ復調部からのシリアル信号をパラレルのデジタル信号に変換するシリアル−パラレル変換部とを具備する構成とした。
かかる構成により、ミリ波帯の周波数でＱＰＳＫ変調された重畳信号が、アンテナ部で受信されると、受信された重畳信号が、ＱＰＳＫ復調部において、変調周波数と同じミリ波帯の周波数で復調され、シリアル信号が生成される。そして、このシリアル信号が、シリアル−パラレル変換部でパラレルのデジタル信号に変換される。
【０００８】
請求項３の発明に係る送受信システムは、請求項１に記載の送信装置と請求項２に記載の受信装置とを備えた構成とする。
かかる構成により、送信装置において、パラレルのデジタル信号がシリアルのデジタル信号に変換されて、シリアル信号が分岐される。そして、ＱＰＳＫ変調部において、分岐された信号がミリ波帯の周波数でそれぞれ変調され、同相成分と直交成分とが生成された後、これら同相成分と直交成分とが重畳されて出力される。すると、この重畳信号がアンテナ部によって無線送信される。
そして、受信装置において、重畳信号が受信されると、ＱＰＳＫ復調部によって、その重畳信号が変調周波数と同じミリ波帯の周波数で復調され、シリアル信号が生成される。そして、このシリアル信号が、シリアル−パラレル変換部でパラレルのデジタル信号に変換される。
【０００９】
請求項４の発明に係る送信装置は、パラレルのデジタル信号をシリアルのデジタル信号に変換するパラレル−シリアル変換部と、このパラレル−シリアル変換部からのシリアル信号を分岐する分岐部と、この分岐部で分岐された信号をマイクロ波帯の周波数でそれぞれ変調して同相成分と直交成分とを生成した後、これら同相成分と直交成分とを重畳して出力するＱＰＳＫ変調部と、このＱＰＳＫ変調部からの重畳信号をミリ波帯の周波数にアップコンバートするアップコンバート部と、このアップコンバート部からの重畳信号を無線送信するアンテナ部とを具備する構成とした。
かかる構成により、パラレルのデジタル信号が、パラレル−シリアル変換部でシリアルのデジタル信号に変換され、シリアル信号が、分岐部で分岐される。そして、分岐された信号が、ＱＰＳＫ変調部において、マイクロ波帯の周波数でそれぞれ変調され、同相成分と直交成分とが生成される。しかる後、これら同相成分と直交成分とが重畳されてＱＰＳＫ変調部から出力される。すると、この重畳信号は、アップコンバート部によってミリ波帯の周波数にアップコンバートされた後、アンテナ部によって無線送信される。
【００１０】
請求項５の発明に係る受信装置は、マイクロ波帯の周波数でＱＰＳＫ変調され且つミリ波帯の周波数でアップコンバートされた重畳信号を受信するアンテナ部と、このアンテナ部で受信した重畳信号をミリ波帯の周波数でダウンコンバートするダウンコンバート部と、このダウンコンバート部からの重畳信号を変調周波数と同じマイクロ波帯の周波数で復調してシリアル信号を生成するＱＰＳＫ復調部と、このＱＰＳＫ復調部からのシリアル信号をパラレルのデジタル信号に変換するシリアル−パラレル変換部とを具備する構成とした。
かかる構成により、ミリ波帯の周波数でアップコンバートされた重畳信号が、アンテナ部で受信されると、ダウンコンバート部によって、ミリ波帯の周波数でダウンコンバートされる。そして、この重畳信号が、ＱＰＳＫ復調部によって変調周波数と同じマイクロ波帯の周波数で復調され、シリアル信号が生成される。そして、このシリアル信号が、シリアル−パラレル変換部でパラレルのデジタル信号に変換される。
【００１１】
請求項６の発明に係る送受信システムは、請求項４に記載の送信装置と請求項５に記載の受信装置とを備えた構成とする。
かかる構成により、送信装置において、パラレルのデジタル信号がシリアルのデジタル信号に変換されて、シリアル信号が分岐される。そして、ＱＰＳＫ変調部によって、分岐された信号がマイクロ波帯の周波数でそれぞれ変調されて、同相成分と直交成分とが生成された後、これら同相成分と直交成分とが重畳されて出力される。すると、この重畳信号が、アップコンバート部によってミリ波帯の周波数にアップコンバートされた後、アンテナ部によって無線送信される。
そして、受信装置において、重畳信号が受信されると、ダウンコンバート部によって、ミリ波帯の周波数でダウンコンバートされる。そして、この重畳信号が、ＱＰＳＫ復調部によって、変調周波数と同じマイクロ波帯の周波数で復調され、シリアル信号が生成され、シリアル−パラレル変換部で、このシリアル信号がパラレルのデジタル信号に変換される。
【００１２】
請求項７の発明に係る送信装置は、それぞれがデジタル信号をミリ波帯の周波数で変調して同相成分と直交成分とを生成した後、これら同相成分と直交成分とを重畳して出力するＱＰＳＫ変調部であって且つ変調周波数がそれぞれ異なる複数のＱＰＳＫ変調部と、これら複数のＱＰＳＫ変調部から出力された複数の重畳信号を周波数多重化して出力する多重部と、この多重部からの多重化信号を無線送信するアンテナ部とを具備する構成とした。
かかる構成により、各ＱＰＳＫ変調部において、デジタル信号がミリ波帯の周波数で変調され、同相成分と直交成分とが生成される。しかる後、これら同相成分と直交成分とが重畳されて各ＱＰＳＫ変調部から出力される。この重畳信号は、変調周波数がそれぞれ異なる複数のＱＰＳＫ変調部からそれぞれ出力される。すると、これら複数のＱＰＳＫ変調部から出力された複数の重畳信号は、多重部において、周波数多重化された後、アンテナ部によって、この多重化信号が無線送信される。
【００１３】
請求項８の発明に係る受信装置は、ミリ波帯の異なる周波数でＱＰＳＫ変調された複数の重畳信号が周波数多重化された信号を受信するアンテナ部と、このアンテナ部で受信した多重化信号を周波数分離する分離部と、この分離部で周波数分離された重畳信号をミリ波帯の周波数で復調してパラレル信号を出力するＱＰＳＫ復調部であって且つ復調周波数がそれぞれ異なる複数のＱＰＳＫ復調部とを具備する構成とした。
かかる構成により、ミリ波帯の異なる周波数でＱＰＳＫ変調された複数の重畳信号が、アンテナ部で周波数多重化された信号が受信されると、この多重化信号が、分離部で周波数分離される。そして、周波数分離された各重畳信号が、各ＱＰＳＫ復調部においてミリ波帯の周波数で復調され、パラレル信号が出力される。このパラレル信号は、復調周波数がそれぞれ異なる複数のＱＰＳＫ復調部からそれぞれ出力される。
【００１４】
請求項９の発明に係る送受信システムは、請求項７に記載の送信装置と請求項８に記載の受信装置とを備えた構成とする。
かかる構成により、送信装置の各ＱＰＳＫ変調部において、デジタル信号がミリ波帯の周波数でそれぞれ変調され、同相成分と直交成分とが生成された後、これら同相成分と直交成分とが重畳されて出力される。この重畳信号は、変調周波数がそれぞれ異なる複数のＱＰＳＫ変調部からそれぞれ出力される。これら複数の重畳信号は、多重部において、周波数多重化され後、アンテナ部によって無線送信される。
そして、受信装置のアンテナ部において、多重化信号が受信されると、分離部において、周波数分離される。すると、周波数分離された各重畳信号は、各ＱＰＳＫ復調部においてミリ波帯の周波数で復調され、パラレル信号が出力される。このパラレル信号は、復調周波数がそれぞれ異なる複数のＱＰＳＫ復調部からそれぞれ出力される。
【００１５】
請求項１０の発明に係る送信装置は、それぞれがデジタル信号をマイクロ波帯の周波数で変調して同相成分と直交成分とを生成した後、これら同相成分と直交成分とを重畳して出力するＱＰＳＫ変調部であって変調周波数がそれぞれ異なる複数のＱＰＳＫ変調部と、これら複数のＱＰＳＫ変調部から出力された複数の重畳信号を周波数多重化して出力する多重部と、この多重部からの多重化信号をミリ波帯の周波数にアップコンバートするアップコンバート部と、このアップコンバート部からの多重信号を無線送信するアンテナ部とを具備する構成とした。
かかる構成により、各ＱＰＳＫ変調部において、デジタル信号がマイクロ波帯の周波数で変調され、同相成分と直交成分とが生成される。しかる後、これら同相成分と直交成分とが重畳されて各ＱＰＳＫ変調部から出力される。この重畳信号は、変調周波数がそれぞれ異なる複数のＱＰＳＫ変調部からそれぞれ出力される。すると、これら複数のＱＰＳＫ変調部から出力された複数の重畳信号は、多重部において、周波数多重化された後、アップコンバート部によって、ミリ波帯の周波数にアップコンバートされる。そして、アンテナ部によって、この多重信号が無線送信される。
【００１６】
請求項１１の発明に係る受信装置は、マイクロ波帯の異なる周波数でＱＰＳＫ変調された複数の重畳信号が周波数多重され且つミリ波帯の周波数でアップコンバートされた多重化信号を受信するアンテナ部と、このアンテナ部で受信した多重化信号をミリ波帯の周波数でダウンコンバートするダウンコンバート部と、このダウンコンバート部からの多重化信号を周波数分離する分離部と、この分離部で周波数分離された重畳信号をマイクロ波帯の周波数で復調してパラレル信号を出力するＱＰＳＫ復調部であって且つ復調周波数がそれぞれ異なる複数のＱＰＳＫ復調部とを具備する構成とした。
かかる構成により、マイクロ波帯の異なる周波数でＱＰＳＫ変調された複数の重畳信号が周波数多重され且つミリ波帯の周波数でアップコンバートされた多重化信号が、アンテナ部で受信されると、この多重化信号が、ダウンコンバート部によって、ミリ波帯の周波数でダウンコンバートされる。そして、この多重化信号が、分離部によって、周波数分離され、周波数分離された各重畳信号が、各ＱＰＳＫ復調部において、マイクロ波帯の周波数で復調され、パラレル信号が出力される。このパラレル信号は、復調周波数がそれぞれ異なる複数のＱＰＳＫ復調部からそれぞれ出力される。
【００１７】
請求項１２の発明に係る送受信システムは、請求項１０に記載の送信装置と請求項１１に記載の受信装置とを備えた構成とする。
かかる構成により、送信装置の各ＱＰＳＫ変調部において、デジタル信号がマイクロ波帯の周波数で変調され、同相成分と直交成分とが生成された後、これら同相成分と直交成分とが重畳されて出力される。この重畳信号は、変調周波数がそれぞれ異なる複数のＱＰＳＫ変調部からそれぞれ出力される。これら複数の重畳信号は、多重部において、周波数多重化された後、アップコンバート部によって、ミリ波帯の周波数にアップコンバートされ、アンテナ部によって無線送信される。
そして、受信装置のアンテナ部において、多重化信号が受信されると、ダウンコンバート部によって、ミリ波帯の周波数でダウンコンバートされた後、この多重化信号が、分離部によって、周波数分離される。そして、周波数分離された各重畳信号が、各ＱＰＳＫ復調部においてマイクロ波帯の周波数で復調され、パラレル信号が出力される。このパラレル信号は、復調周波数がそれぞれ異なる複数のＱＰＳＫ復調部からそれぞれ出力される。
【００１８】
請求項１３の発明に係る送受信方法は、パラレルのデジタル信号をシリアルのデジタル信号に変換し、これらのシリアル信号をミリ波帯の周波数でＱＰＳＫ変調して同相成分と直交成分との重畳信号を生成し、この重畳信号を無線伝送する送信過程と、受信した重畳信号をミリ波帯の周波数でＱＰＳＫ復調してシリアル信号を生成した後、これらのシリアル信号をパラレルのデジタル信号に変換する受信過程とを具備する構成とした。
【００１９】
請求項１４の発明に係る送受信方法は、パラレルのデジタル信号をシリアルのデジタル信号に変換し、これらのシリアル信号をマイクロ波帯の周波数でＱＰＳＫ変調して同相成分と直交成分との重畳信号を生成し、この重畳信号をミリ波帯の周波数にアップコンバートした後、このアップコンバートされた重畳信号を無線伝送する送信過程と、受信した重畳信号をミリ波帯の周波数でダウンコンバートした後、このダウンコンバートされた重畳信号をマイクロ波帯の周波数でＱＰＳＫ復調してシリアル信号を生成し、これらのシリアル信号をパラレルのデジタル信号に変換する受信過程とを具備する構成とした。
【００２０】
請求項１５の発明に係る送受信方法は、デジタル信号をミリ波帯の周波数でＱＰＳＫ変調して生成される同相成分と直交成分との重畳信号であって且つ変調周波数がそれぞれ異なる複数の重畳信号を生成し、これら複数の重畳信号を周波数多重化して無線伝送する送信過程と、受信した多重化信号を各重畳信号に周波数分離した後、各重畳信号をミリ波帯の周波数でＱＰＳＫ復調してパラレル信号を生成する受信過程とを具備する構成とした。
【００２１】
請求項１６の発明に係る送受信方法は、デジタル信号をマイクロ波帯の周波数でＱＰＳＫ変調して生成される同相成分と直交成分との重畳信号であって且つ変調周波数がそれぞれ異なる複数の重畳信号を生成し、これら複数の重畳信号を周波数多重化した後、この多重化信号をミリ波帯の周波数にアップコンバートして無線伝送する送信過程と、受信した多重化信号をミリ波帯の周波数でダウンコンバートした後、このダウンコンバートされた多重化信号を各重畳信号に周波数分離し、各重畳信号をマイクロ波帯の周波数でＱＰＳＫ復調してパラレル信号を生成する受信過程とを具備する構成とした。
【発明の効果】
【００２２】
以上詳しく説明したように、請求項１〜請求項３及び請求項１３の発明によれば、送信装置のＱＰＳＫ変調部によって、信号をミリ波帯の周波数で変調して、その同相成分と直交成分との重畳信号をアンテナ部によって無線送信することができ、そして、受信装置のＱＰＳＫ復調部によって、受信した重畳信号をミリ波帯の周波数で復調することができる。ミリ波を使用した本構成により、大容量かつ高速伝送を維持した状態で、従来の光無線送信に比較して、広角ビームの無線送信を実現することができ、この結果、従来の光無線送信のように、光ビームの精巧な軸合わせ機構を必要とせず、その分、装置及びシステムの低コスト化を図ることができるという優れた効果がある。
また、信号をミリ波で無線送信するので、送信装置と受信装置との間に、紙や煙等の障害物が存在していても、ミリ波はその障害物で反射されることなく、受信装置に届く。この結果、送信装置から受信装置への安定した信号伝送を実現することができるという効果がある。
【００２３】
また、請求項４〜請求項６及び請求項１４の発明によれば、送信装置のＱＰＳＫ変調部によって、信号をマイクロ波帯の周波数でそれぞれ変調して、その同相成分と直交成分との重畳信号を生成した後、その重畳信号をアップコンバート部でミリ波帯の周波数にアップコンバートして、無線送信することができ、そして、受信装置のダウンコンバート部において、受信した重畳信号をミリ波帯の周波数でダウンコンバートした後、ＱＰＳＫ復調部によって、マイクロ波帯の周波数で復調することができる。すなわち、複雑且つ高価な構造となりがちなミリ波によるＱＰＳＫ変調部及びＱＰＳＫ復調部の構造を、比較的簡易で且つ安価な構造で済むマイクロ波によるＱＰＳＫ変調部及びＱＰＳＫ復調部の構造に代え、ミリ波を簡易且つ安価なアップコンバータ部及びダウンコンバータ部のみにすることで、安定した信号伝送を可能にするだけでなく、さらなる低コスト化を図ることができる。
【００２４】
また、請求項７〜請求項９及び請求項１５の発明によれば、送信装置において、ミリ波帯の周波数で変調した重畳信号を複数のＱＰＳＫ変調部からそれぞれ出力し、これら複数の重畳信号を、多重部で周波数多重化して無線送信することができ、そして、受信装置の分離部において、多重信号を周波数分離し、各重畳信号を各ＱＰＳＫ復調部においてミリ波帯の周波数で復調することができる。本構成によると、パラレル信号を直接変換器に入力、またはパラレル信号を直接復調器から出力するため、送信装置や受信装置に、パラレル−シリアル変換部やシリアル−パラレル変換部を必要としないので、その分低コスト化が可能である。
【００２５】
また、請求項１０〜請求項１２及び請求項１６の発明によれば、送信装置において、マイクロ波帯の周波数で変調した重畳信号を複数のＱＰＳＫ変調部からそれぞれ出力し、これら複数の重畳信号を、多重部で周波数多重化した後、アップコンバート部でミリ波帯の周波数にアップコンバートして、無線送信することができ、そして、受信装置のダウンコンバート部において、多重信号をミリ波帯の周波数でダウンコンバートした後、分離部で周波数分離した後、各重畳信号を各ＱＰＳＫ復調部においてマイクロ波帯の周波数で復調することができる。パラレル−シリアル変換部やシリアル−パラレル変換部が不要となるだけでなく、比較的簡易で且つ安価な構造で済むマイクロ波によるＱＰＳＫ変調部及びＱＰＳＫ復調部を用いると共に、ミリ波を簡易且つ安価なアップコンバータ部及びダウンコンバータ部のみに適用することで、より一層の低コスト化を図ることができる。
【発明を実施するための最良の形態】
【００２６】
以下、この発明の最良の形態について図面を参照して説明する。
【実施例１】
【００２７】
図１は、この発明の第１実施例に係る送受信システムを示すブロック図であり、図２は、第１実施例の送受信システムに適用される送信装置の回路図であり、図３は、第１実施例の送受信システムに適用される受信装置の回路図である。
図１に示すように、この実施例の送受信システムは、映像ベースバンド信号をミリ波帯の周波数で直接変調して送受信するシステムであり、送信装置１と、この送信装置１からの無線信号を受信可能な受信装置２とを備えている。
【００２８】
送信装置１は、パラレル−シリアル変換部（以下「Ｐ／Ｓ変換部」と記す）１０と、分岐部としての直並列変換器１１と、ＱＰＳＫ（Quadrature Phase Shift Keying）変調部１２とアンテナ部１３とを有する。
【００２９】
Ｐ／Ｓ変換部１０は、図２に示すように、４個の入力端子１０ａ〜１０ｄを有し、デジタル信号である映像ベースバンド信号Ｒ，Ｇ，Ｂ（又は輝度信号Ｙ、色差信号Ｃｒ，Ｃｂ）とクロック信号ＣＬＫとを入力端子１０ａ〜１０ｄでパラレルに入力することができる。Ｐ／Ｓ変換部１０は、これらの信号を入力端子１０ａ〜１０ｄに入力すると、これらの信号をシリアル変換して出力する機能を有している。なお、この実施例では、原色信号Ｒ，Ｇ，Ｂ（又は輝度信号Ｙ、色差信号Ｃｒ，Ｃｂ）とクロック信号ＣＬＫという主な信号をパラレルに入力するため、Ｐ／Ｓ変換部１０に４個の入力端子１０ａ〜１０ｄを設定した。しかし、ＤＶＩ（Digital Visual Interface）やＨＤＭＩ（High Definition Multimedia Interface）等のように、これらの主な信号の他に制御信号などを含む場合には、その信号数に応じて、Ｐ／Ｓ変換部１０の入力端子の数を設定することは勿論である。
【００３０】
直並列変換器１１は、Ｐ／Ｓ変換部１０からのシリアル信号を交互に分岐して、ＱＰＳＫ変調部１２の入力端１２ａ，入力端１２ｂに同時に入力する。ここで、ＱＰＳＫ変調部１２の入力端１２ａから入力された信号をＩ信号とし、入力端１２ｂから入力された信号をＱ信号する。
【００３１】
ＱＰＳＫ変調部１２は、入力端１２ａ，１２ｂから同時に入力されたＩ信号及びＱ信号をミリ波帯の周波数でそれぞれ変調する部分である。
具体的には、ＱＰＳＫ変調部１２は、同相成分を生成する変調経路１２Ａと、直交成分を生成する変調経路１２Ｂと、発振回路１２Ｃと、生成された同相成分と直交成分とを重畳する加算器１２ｃとで構成されている。
これにより、入力端１２ａから変調経路１２Ａ側に入力されたＩ信号は、レベル変換器１２１ａによって差動信号Ｉ＋，Ｉ−のいずれかに変換される。すなわち、Ｉ信号が１Ｖ（ボルト）であるならば＋１Ｖの差動信号Ｉ＋に、０Ｖであるならば−１Ｖの差動信号Ｉ−に変換生成される。この差動信号は、乗算器１２２ａに入力されて、発振回路１２Ｃからのミリ波Ｃ１で変調される。
一方、入力端１２ｂから変調経路１２Ｂ側に入力されたＱ信号も、Ｉ信号と同様に、レベル変換器１２１ｂによって差動信号Ｑ＋，Ｑ−のいずれかに変換され、乗算器１２２ｂにおいて、発振回路１２Ｃからのミリ波Ｃ２で変調される。
発振回路１２Ｃは、ミリ波帯の周波数（３０ＧＨｚ〜３００ＧＨｚ）を有する搬送波Ｃ１，Ｃ２を乗算器１２２ａ，１２２ｂに出力する回路である。この実施例では、６０ＧＨｚの搬送波Ｃ１を乗算器１２２ａに送り、位相がこの搬送波から９０°だけ遅れた搬送波Ｃ２を乗算器１２２ｂに送る。
これにより、変調経路１２Ａ側で、差動信号Ｉ＋，Ｉ−と搬送波Ｃ１との乗算による同相成分Ｉ１が生成され、変調経路１２Ｂ側で、差動信号Ｑ＋，Ｑ−と搬送波Ｃ２との乗算による直交成分Ｑ１が生成される。
そして、これら同相成分Ｉ１及び直交成分Ｑ１が加算器１２ｃにおいて重畳され、その重畳信号ＩＱ１が加算器１２ｃからアンテナ部１３に出力される。
【００３２】
アンテナ部１３は、増幅器１３ａで増幅されたＱＰＳＫ変調部１２からの重畳信号ＩＱ１を電波として所定の放射角度で放射することで、重畳信号ＩＱ１を受信装置２に無線送信する部分である。
【００３３】
受信装置２は、図１に示すように、アンテナ部２０とＱＰＳＫ復調部２１とシリアル−パラレル変換部（以下「Ｓ／Ｐ変換部」と記す）２２とを有する。
【００３４】
アンテナ部２０は、図３に示すように、送信装置１からの重畳信号ＩＱ１を受信する部分である。このアンテナ部２０で受信された重畳信号ＩＱ１は、増幅器２０ａを経て、ＱＰＳＫ復調部２１の入力端２１ａ，２１ｂにそれぞれ入力されるようになっている。
【００３５】
ＱＰＳＫ復調部２１は、入力端２１ａ，２１ｂから同時に入力された重畳信号ＩＱ１を復調する部分である。
具体的には、ＱＰＳＫ復調部２１は、Ｉ信号の復調を行う復調経路２１Ａと、Ｑ信号の復調を行う復調経路２１Ｂと、発振回路２１Ｃとで構成されている。
これにより、入力端２１ａより復調経路２１Ａ側に入力された重畳信号ＩＱ１が乗算器２１１ａに入力され、発振回路２１Ｃからの搬送波Ｃ１で復調される。一方、入力端２１ｂから復調経路２１Ｂ側に入力された重畳信号ＩＱ１は、乗算器２１１ｂに入力され、発振回路２１Ｃからの搬送波Ｃ２で復調される。
発振回路２１Ｃは、ＱＰＳＫ変調部１２の変調周波数と同じ搬送波Ｃ１，Ｃ２を乗算器２１１ａ，２１１ｂに出力する回路である。
これにより、乗算器２１１ａにおいて、重畳信号ＩＱ１と搬送波Ｃ１との乗算が行われ、２１１ｂにおいて、重畳信号ＩＱ１と搬送波Ｃ２との乗算が行われる。そして、乗算器２１１ａ，２１１ｂからの出力信号が、ローパスフィルタ（以下、「ＬＰＦ」と記す）２１２ａ，２１２ｂで濾波されて、差動信号Ｉ＋（Ｉ−），Ｑ＋（Ｑ−）が出力される。そして、これらの信号がアナログ−デジタル変換器（以下、「Ａ／Ｄ変換器」と記す）２１３ａ，２１３ｂを介して出力端２１ｃ，２１ｃからＦＰＧＡ２１Ｄ（Field Programmable Gate Alley）に出力される。
このように、ＱＰＳＫ復調部２１で復調された差動信号Ｉ＋（Ｉ−），Ｑ＋（Ｑ−）が出力端２１ｃ，２１ｄからＦＰＧＡ２１Ｄに入力されると、ＦＰＧＡ２１Ｄが、＋１Ｖ又は−１Ｖである差動信号Ｉ＋（Ｉ−），差動信号Ｑ＋（Ｑ−）を＋１Ｖ又は０Ｖに戻すなどの処理を行って、＋１Ｖ又は０ＶであるＩ信号，Ｑ信号をＳ／Ｐ変換部２２に入力するようになっている。
【００３６】
Ｓ／Ｐ変換部２２は、４個の出力端子２２ａ〜２２ｄを有し、ＦＰＧＡ２１Ｄからの信号をシリアルに入力した後、これらの信号をパラレルに変換して、出力端子２２ａ〜２２ｄに出力する機能を有する部分である
【００３７】
次に、この実施例の送受信システムが示す作用及び効果について説明する。
図４は、この実施例の送受信システムを適用した映像システムの外観図であり、図５は、ミリ波の放射角度を示す概略平面図である。なお、この送受信システムの作用は、請求項１３の発明に係る送受信方法を具体的に実現するものである。
図４に示すように、この実施例の送受信システムは、送信装置１を例えばＤＶＤ（Digital Versatile Disc）等を記録再生するＤＶＤ記録再生装置１００に接続すると共に、受信装置２をＰＤＰ等の表示装置１１０に接続し、かかる状態で、送信過程を実行することができる。
【００３８】
すなわち、図２に示す送信装置１において、Ｐ／Ｓ変換部１０の入力端子１０ａ〜１０ｄを、ＤＶＤ記録再生装置１００におけるの映像ベースバンド信号Ｒ，Ｇ，Ｂ及びクロック信号ＣＬＫの出力端に接続すると、これらの信号が、上記したように、変調経路１２Ａ，１２Ｂにおいて、周波数６０ＧＨｚのミリ波で変調され、その同相成分Ｉ１と直交成分Ｑ１との重畳信号ＩＱ１が、アンテナ部１３から無線送信される。
【００３９】
ところで、図５において、従来の送受信システムの如く、光無線送信方式を採用すると、二点鎖線で示すように、狭い光ビームＬを送信装置１から受信装置２に直線的に送るので、送信装置１と受信装置２との間の光軸を正確に合わせる必要がある。
しかし、この送受信システムでは、上記したように送信する信号（この実施例では重畳信号ＩＱ１）が、周波数６０ＧＨｚのミリ波であるので、実線で示すように、送信装置１のアンテナ部１３から放射される放射角度θを広くすることができる。このため、送信信号の放射角度θに対応して、受信装置２のアンテナ部２０の受信可能エリアＳが破線で示すように広くなる。すなわち、従来の光無線方式に比較して、広角ビームの信号を無線送信して、広範囲の位置で受信することができるので、従来の光無線送信のような光軸合わせ機構を用いることなく、信号の送受信が可能である。
さらに、光無線送信方式では、紙や煙等の障害物Ｍが光ビームＬの経路上にあると、光ビームＬが障害物Ｍで散乱されてしまうが、この実施例では、ミリ波を用いているので、送信信号が障害物Ｍによって遮断されることなく、受信装置２に届く。
【００４０】
このようにして、受信装置２は、送信装置１からの重畳信号ＩＱ１を確実に受信することで、受信過程が実行される。すなわち、上記したように、図３に示す受信装置２のアンテナ部２０で受信された重畳信号ＩＱ１が、復調経路２１Ａ，２１Ｂにおいて、復調，濾波及びアナログ−デジタル変換等され、Ｓ／Ｐ変換部２２の出力端子２２ａ〜２２ｄからパラレルに出力される。
【００４１】
以上のようにして、図４に示すＤＶＤ記録再生装置１００で再生された映像ベースバンド信号Ｒ，Ｇ，Ｂ及びクロック信号ＣＬＫは、送信装置１から受信装置２に無線送信され、受信装置２の出力端子２２ａ〜２２ｄから表示装置１１０に出力される。この結果、映像ベースバンド信号Ｒ，Ｇ，Ｂが示す映像が表示装置１１０に表示される。
【実施例２】
【００４２】
図６は、この発明の第２実施例に係る送受信システムを示すブロック図であり、図７は、第２実施例の送受信システムに適用される送信装置の回路図であり、図８は、第２実施例の送受信システムに適用される受信装置の回路図である。なお、図１〜図５に示した部材と同一部材については同一符号を付して表示した。
この実施例の送受信システムは、図６に示すように、映像ベースバンド信号やクロック信号等のデジタル信号をマイクロ波の周波数で変／復調し、ミリ波の周波数でアップ／ダウンコンバートするようにした点が、上記第１実施例と異なる。
【００４３】
送信装置１は、Ｐ／Ｓ変換部１０と直並列変換器１１とＱＰＳＫ変調部１２′とアップコンバート部１４とアンテナ部１３とを備える。
ＱＰＳＫ変調部１２′は、図７に示すように、入力端１２ａ，１２ｂから同時に入力されたＩ信号及びＱ信号をマイクロ波帯の周波数でそれぞれ変調する部分である。
具体的には、ＱＰＳＫ変調部１２′は、同相成分を生成する変調経路１２Ａ′と、直交成分を生成する変調経路１２Ｂ′と、発振回路１２Ｃ′と、生成された同相成分と直交成分とを重畳する加算器１２ｃとで構成されている。
発振回路１２Ｃ′は、マイクロ波帯の周波数（３ＧＨｚ〜３０ＧＨｚ）を有した搬送波を乗算器１２２ａ，１２２ｂに出力する回路である。この実施例では、５ＧＨｚの搬送波Ｃ３を乗算器１２２ａに送り、位相がこの搬送波から９０°だけ送れた搬送波Ｃ４を乗算器１２２ｂに送る機能を有する。
これにより、変調経路１２Ａ′側で、同相成分Ｉ２が生成されると共に、変調経路１２Ｂ′側で、直交成分Ｑ１が生成され、加算器１２ｃにおいて、重畳信号ＩＱが形成されて、アップコンバート部１４に出力される。
【００４４】
アップコンバート部１４は、ＱＰＳＫ変調部１２′からの重畳信号ＩＱをミリ波帯の周波数（３０ＧＨｚ〜３００ＧＨｚ）にアップコンバートする部分であり、６０ＧＨｚの局部発振器１４ａと乗算器１４ｂとバンドバスフィルタ１４ｃとを有する。
これにより、乗算器１４ｂにおいて、局部発振器１４ａからの６０ＧＨｚのミリ波Ｃ５と重畳信号ＩＱとの乗算が行われ、６０ＧＨｚにアップコンバートされた重畳信号ＩＱ２がバンドバスフィルタ１４ｃを介してアンテナ部１３から受信装置２側に無線送信される。
【００４５】
受信装置２は、図６に示すように、アンテナ部２０とダウンコンバート部２３とＱＰＳＫ復調部２１′とＳ／Ｐ変換部２２とを備える。
ダウンコンバート部２３は、アンテナ部２０が受信した送信装置１からの重畳信号ＩＱ２をダウンコンバートする部分であり、図８に示すように、バンドバスフィルタ２３ａと６０ＧＨｚの局部発振器２３ｂと乗算器２３ｃとを有する。
これにより、受信した重畳信号ＩＱ２は、乗算器２３ｃにおいてミリ波Ｃ５が乗算され、重畳信号ＩＱにダウンコンバートされた後、ＱＰＳＫ復調部２１′に入力される。
【００４６】
ＱＰＳＫ復調部２１′は、ダウンコンバート部２３からの重畳信号ＩＱを入力端２１ａ，２１ｂから同時に入力してマイクロ波帯の周波数で復調する部分である。
具体的には、ＱＰＳＫ復調部２１′は、同相成分を復調する復調経路２１Ａ′と、直交成分を復調する復調経路２１Ｂ′と、発振回路２１Ｃ′とで構成されている。
これにより、復調経路２１Ａ′側に入力された重畳信号ＩＱが発振回路２１Ｃ′からの搬送波Ｃ３で復調されると共に、復調経路２１Ｂ′側に入力された重畳信号ＩＱが発振回路２１Ｃ′からの搬送波Ｃ４で復調される。そして、ＦＰＧＡ２１ＤからＩ信号，Ｑ信号としてＳ／Ｐ変換部２２にシリアル入力し、Ｓ／Ｐ変換部２２の出力端子２２ａ〜２２ｄからパラレルに出力される。
【００４７】
かかる構成により、この実施例の送受信システムは、請求項１４の発明に係る送受信方法を具体的に実現する。
すなわち、図７において、送信装置１の入力端子１０ａ〜１０ｄに入力された映像ベースバンド信号は、変調経路１２Ａ′，１２Ｂ′において、マイクロ波帯の周波数５ＧＨｚの搬送波Ｃ３，ｃ４で変調された後、アップコンバート部１４において、ミリ波帯の周波数６０ＧＨｚにアップコンバートされ、重畳信号ＩＱ２としてアンテナ部１３から無線送信される。
【００４８】
そして、図８に示すように、重畳信号ＩＱ２が受信装置２で受信されると、ダウンコンバート部２３において、ミリ波帯の周波数６０ＧＨｚでダウンコンバートされた後、復調経路２１Ａ′，２１Ｂ′において、マイクロ波帯の周波数５ＧＨｚで復調され、Ｉ信号及びＱ信号がＳ／Ｐ変換部２２からパラレルに出力される。
【００４９】
このように、この実施例の送受信システムによれば、送信装置１のＱＰＳＫ変調部１２′，受信装置２のＱＰＳＫ復調部２１′において、ミリ波帯のＱＰＳＫ変調，ＱＰＳＫ復調よりも比較的簡易で且つ安価な構造で済むマイクロ波による変調，復調構造を採用し、ミリ波の回路部分を、簡易且つ安価なアップコンバート部１４とダウンコンバート部２３とでのみ構成する構造としたので、映像ベースバンド信号の安定した信号伝送を可能にするだけでなく、さらなる低コスト化を図ることができる。
その他の構成，作用及び効果は、上記第１実施例と同様であるので、その記載は省略する。
【実施例３】
【００５０】
図９は、この発明の第３実施例に係る送受信システムを示すブロック図であり、図１０は、第３実施例の送受信システムの回路図である。なお、図１〜図８に示した部材と同一部材については同一符号を付して表示した。
この実施例の送受信システムは、図９に示すように、Ｐ／Ｓ変換部やＳ／Ｐ変換部を除いた点が、上記第１実施例と異なる。
【００５１】
すなわち、送信装置１が、１対のＱＰＳＫ変調部１２−１，１２−２と多重部１５とアンテナ部１３とを有する構成をなし、受信装置２が、アンテナ部２０と分離部２５と１対のＱＰＳＫ復調部２１−１，２１−２とを有する構成をなす。
【００５２】
送信装置１のＱＰＳＫ変調部１２−１では、図１０に示すように、上記第１実施例のＱＰＳＫ変調部１２（図２参照）において、レベル変換器１２１ａ，１２１ｂを除いた構成になっており、発振回路１２Ｃ−１の変調周波数は６０ＧＨｚである。したがって、差動信号Ｉ＋，Ｉ−と差動信号Ｑ＋，Ｑ−がＱＰＳＫ変調部１２−１の入力端１２ａ−１，１２ｂ−１からは直接入力され、その同相成分Ｉ１，直交成分Ｑ１が加算器１２ｃで重畳されて、その重畳信号ＩＱ１が多重部１５に出力されるようになっている。
一方、ＱＰＳＫ変調部１２−２もＱＰＳＫ変調部１２−１とほぼ同構造であるが、発振回路１２Ｃ−２よる変調周波数は発振回路２１Ｃ−１の変調周波数６０ＧＨｚと異なっている。この実施例では、６３ＧＨｚに設定した。したがって、差動信号Ｉ′＋，Ｉ′−と差動信号Ｑ′＋，Ｑ′−がＱＰＳＫ変調部１２−２の入力端１２ａ−２，１２ｂ−２からは入力されると、６３ＧＨｚで変調された同相成分Ｉ１′と直交成分Ｑ１′とが生成され、加算器１２ｃで重畳される。そして、これらの重畳信号ＩＱ１′が多重部１５に出力されるようになっている。
【００５３】
多重部１５は、例えば、マルチプレクサや合成器などであり、ＱＰＳＫ変調部１２−１，１２−２からの重畳信号ＩＱ１，ＩＱ１′を周波数多重化し、その多重化信号Ｆをアンテナ部１３に出力する機能を有する。
【００５４】
一方、受信装置２の分離部２５は、例えば、マルチプレクサであり、アンテナ部２０で受信した多重化信号Ｆを６０ＧＨｚと６３ＧＨｚの周波数で分離する。具体的には、アンテナ部２０で受信された多重化信号Ｆを６０ＧＨｚ変調の重畳信号ＩＱ１と６３ＧＨｚ変調の重畳信号ＩＱ１′とに分離した後、重畳信号ＩＱ１，ＩＱ１′をＱＰＳＫ復調部２１−１，２１−２にそれぞれ入力する機能を有する。
【００５５】
ＱＰＳＫ復調部２１−１は、重畳信号ＩＱ１をミリ波帯の周波数６０ＧＨｚで復調してパラレル信号を出力する部分である。具体的には、入力された重畳信号ＩＱ１から同相成分Ｉ１と直交成分Ｑ１とを復元し、ＦＰＧＡ２１Ｄ−１を介して、レベル変換器２６Ａ−１，２６Ｂ−１にそれぞれ出力する。これにより、差動信号Ｉ＋，Ｉ−と差動信号Ｑ＋，Ｑ−が出力端２６ａ−１，２６ｂ−１からそれぞれ出力される。
ＱＰＳＫ復調部２１−２もＱＰＳＫ復調部２１−１とほぼ同構造であり、重畳信号ＩＱ１′を周波数６３ＧＨｚで復調してパラレル信号を出力する部分である。具体的には、入力された重畳信号ＩＱ１′から同相成分Ｉ１′と直交成分Ｑ１′とを復元し、ＦＰＧＡ２１Ｄ−２を介して、レベル変換器２６Ａ−２，２６Ｂ−２にそれぞれ出力する。これにより、差動信号Ｉ′＋，Ｉ′−と差動信号Ｑ′＋，Ｑ′−が出力端２６ａ−２，２６ｂ−２からそれぞれ出力される。
【００５６】
次に、この実施例の送受信システムが示す作用及び効果について説明する。
なお、この送受信システムの作用は、請求項１５の発明に係る送受信方法を具体的に実現するものである。
送信装置１において、送信過程が実行される。
すなわち、差動信号状態の映像ベースバンド信号Ｒ，Ｇ，Ｂとクロック信号ＣＬＫが入力端１２ａ−１，１２ｂ−１，１２ａ−２，１２ｂ−２にパラレルに入力されると、ＱＰＳＫ変調部１２−１において、６０ＧＨｚで変調され、重畳信号ＩＱ１が多重部１５に出力されると共に、ＱＰＳＫ変調部１２−２において、６３ＧＨｚで変調され、重畳信号ＩＱ１′が多重部１５に出力される。そして、重畳信号ＩＱ１，ＩＱ１′の多重化信号Ｆが多重部１５で生成され、アンテナ部１３から無線送信される。
【００５７】
そして、受信装置２において、受信過程が実行される。
すなわち、多重化信号Ｆが受信装置２のアンテナ部２０で受信されると、分離部２５で重畳信号ＩＱ１と重畳信号ＩＱ１′とに分離され、これらの信号がＱＰＳＫ復調部２１−１，２１−２にそれぞれ入力される。
すると、ＱＰＳＫ復調部２１−１において、重畳信号ＩＱ１が周波数６０ＧＨｚで復調され、映像ベースバンド信号Ｒ，Ｇが生成されて、出力端２６ａ−１，２６ｂ−１からそれぞれ出力される。また、ＱＰＳＫ復調部２１−２においては、重畳信号ＩＱ１′が周波数６３ＧＨｚで復調され、映像ベースバンド信号Ｂ，クロック信号ＣＬＫが生成されて、出力端２６ａ−２，２６ｂ−２からそれぞれ出力される。
【００５８】
このようにして、差動信号状態でパラレルに送信装置１に入力された映像ベースバンド信号Ｒ，Ｇ，Ｂとクロック信号ＣＬＫは、受信装置２からパラレルに出力されることとなる。したがって、この実施例の送受信システムを適用することにより、Ｐ／Ｓ変換部やＳ／Ｐ変換部が不要となり、その分、システムコストを低減化することができる。
その他の構成，作用及び効果は、上記第１実施例と同様であるので、その記載は省略する。
【実施例４】
【００５９】
図１１は、この発明の第４実施例に係る送受信システムを示すブロック図であり、図１２は、第４実施例の送受信システムの回路図である。なお、図１〜図１０に示した部材と同一部材については同一符号を付して表示した。
この実施例の送受信システムは、図１１に示すように、Ｐ／Ｓ変換部やＳ／Ｐ変換部を除いた点が、上記第２実施例と異なる。
【００６０】
すなわち、送信装置１が、１対のＱＰＳＫ変調部１２′−１，１２′−２と多重部１５とアップコンバート部１４とアンテナ部１３とを有する構成をなし、受信装置２が、アンテナ部２０とダウンコンバート部２３と分離部２５と１対のＱＰＳＫ復調部２１′−１，２１′−２とを有する構成をなす。
【００６１】
送信装置１のＱＰＳＫ変調部１２′−１は、図１２に示すように、上記第２実施例のＱＰＳＫ変調部１２′（図７参照）において、レベル変換器１２１ａ，１２１ｂを除いた構成になっており、発振回路１２Ｃ′−１による変調周波数はマイクロ波帯の周波数である。この実施例では、５ＧＨｚに設定した。したがって、差動信号Ｉ＋，Ｉ−と差動信号Ｑ＋，Ｑ−がＱＰＳＫ変調部１２′−１の入力端１２ａ−１，１２ｂ−１からは直接入力され、その同相成分Ｉ２，直交成分Ｑ２が加算器１２ｃで重畳されて、その重畳信号ＩＱ２が多重部１５に出力されるようになっている。
一方、ＱＰＳＫ変調部１２′−２もＱＰＳＫ変調部１２′−１とほぼ同構造であるが、発振回路１２Ｃ′−２よる変調周波数は発振回路２１Ｃ′−１の変調周波数と異なっている。この実施例では、６ＧＨｚに設定した。したがって、差動信号Ｉ′＋，Ｉ′−と差動信号Ｑ′＋，Ｑ′−がＱＰＳＫ変調部１２′−２の入力端１２ａ−２，１２ｂ−２から直接入力されると、６ＧＨｚで変調された同相成分Ｉ２′と直交成分Ｑ２′とが生成され、加算器１２ｃで重畳される。そして、これらの重畳信号ＩＱ２′が多重部１５に出力されるようになっている。
【００６２】
そして、多重部１５の出力側にアップコンバート部１４が設けられ、ＱＰＳＫ変調部１２′−１，１２′−２からの重畳信号ＩＱ２，ＩＱ２′を多重部１５で周波数多重化し、その多重化信号Ｆを、アップコンバート部１４で６０ＧＨｚの周波数にアップコンバートするようになっている。
【００６３】
一方、受信装置２では、ダウンコンバート部２３がアンテナ部２０の出力側に配され、アンテナ部２０で受信した多重化信号Ｆを６０ＧＨｚからダウンコンバートして分離部２５に出力するようになっている。
分離部２５は、ダウンコンバート部２３でダウンコンバートされた多重化信号Ｆを５ＧＨｚ変調の重畳信号ＩＱ２と６ＧＨｚ変調の重畳信号ＩＱ２′とに分離した後、重畳信号ＩＱ２，ＩＱ２′をＱＰＳＫ復調部２１′−１，２１′−２にそれぞれ入力する機能を有する。
【００６４】
ＱＰＳＫ復調部２１′−１は、入力された重畳信号ＩＱ２を周波数５ＧＨｚで復調して、同相成分Ｉ２と直交成分Ｑ２とを復元し、ＦＰＧＡ２１Ｄ−１を介して、レベル変換器２６Ａ−１，２６Ｂ−１にそれぞれ出力する。これにより、差動信号Ｉ＋，Ｉ−と差動信号Ｑ＋，Ｑ−が出力端２６ａ−１，２６ｂ−１からそれぞれ出力される。
ＱＰＳＫ復調部２１′−２もＱＰＳＫ復調部２１′−１とほぼ同構造であり、重畳信号ＩＱ２′を周波数６ＧＨｚで復調して、同相成分Ｉ２′と直交成分Ｑ２′とを復元し、ＦＰＧＡ２１Ｄ−２を介して、レベル変換器２６Ａ−２，２６Ｂ−２にそれぞれ出力する。これにより、差動信号Ｉ′＋，Ｉ′−と差動信号Ｑ′＋，Ｑ′−がが出力端２６ａ−２，２６ｂ−２からそれぞれ出力される。
【００６５】
次に、この実施例の送受信システムが示す作用及び効果について説明する。
なお、この送受信システムの作用は、請求項１６の発明に係る送受信方法を具体的に実現するものである。
送信装置１において、送信過程が実行される。
すなわち、差動信号状態の映像ベースバンド信号Ｒ，Ｇ，Ｂとクロック信号ＣＬＫが入力端１２ａ−１，１２ｂ−１，１２ａ−２，１２ｂ−２にパラレルに入力されると、ＱＰＳＫ変調部１２′−１において、映像ベースバンド信号Ｒ，Ｇである差動信号Ｉ＋，Ｉ−と差動信号Ｑ＋，Ｑ−が５ＧＨｚで変調され、同相成分Ｉ２と直交成分Ｑ２との重畳信号ＩＱ２が多重部１５に出力されると共に、ＱＰＳＫ変調部１２′−２において、映像ベースバンド信号Ｂ，クロック信号ＣＬＫである差動信号Ｉ′＋，Ｉ′−と差動信号Ｑ′＋，Ｑ′−が６ＧＨｚで変調され、同相成分Ｉ２′と直交成分Ｑ２′との重畳信号ＩＱ２′が多重部１５に出力される。すると、重畳信号ＩＱ２，ＩＱ２′の多重化信号Ｆが多重部１５で生成され、アップコンバート部１４において、６０ＧＨｚにアップコンバートされた後、アンテナ部１３から無線送信される。
【００６６】
そして、受信装置２において、受信過程が実行される。
すなわち、多重化信号Ｆが受信装置２のアンテナ部２０で受信されると、ダウンコンバート部２３において、６０ＧＨｚからダウンコンバートされた後、分離部２５に入力される。すると、多重化信号Ｆが分離部２５で重畳信号ＩＱ２と重畳信号ＩＱ２′とに分離され、重畳信号ＩＱ２，ＩＱ２′がＱＰＳＫ復調部２１′−１，２１′−２にそれぞれ入力される。
そして、ＱＰＳＫ復調部２１′−１において、重畳信号ＩＱ２が周波数５ＧＨｚで復調され、同相成分Ｉ２と直交成分Ｑ２とが復元される。しかる後、レベル変換器２６Ａ−１，２６Ｂ−１において、映像ベースバンド信号Ｒ，Ｇが生成されて、出力端２６ａ−１，２６ｂ−１からそれぞれ出力される。また、ＱＰＳＫ復調部２１′−２においは、重畳信号ＩＱ２′が周波数６ＧＨｚで復調され、同相成分Ｉ２′と直交成分Ｑ２′とが復元される。しかる後、レベル変換器２６Ａ−２，２６Ｂ−２において、映像ベースバンド信号Ｂ，クロック信号ＣＬＫが生成されて、出力端２６ａ−２，２６ｂ−２からそれぞれ出力される。
その他の構成，作用及び効果は、上記２及び第３実施例と同様であるので、その記載は省略する。
【図面の簡単な説明】
【００６７】
【図１】この発明の第１実施例に係る送受信システムを示すブロック図である。
【図２】第１実施例の送受信システムに適用される送信装置の回路図である。
【図３】第１実施例の送受信システムに適用される受信装置の回路図である。
【図４】この実施例の送受信システムを適用した映像システムの外観図である。
【図５】ミリ波の放射角度を示す概略平面図である。
【図６】この発明の第２実施例に係る送受信システムを示すブロック図である。
【図７】第２実施例の送受信システムに適用される送信装置の回路図である。
【図８】第２実施例の送受信システムに適用される受信装置の回路図である。
【図９】この発明の第３実施例に係る送受信システムを示すブロック図である。
【図１０】第３実施例の送受信システムの回路図である。
【図１１】この発明の第４実施例に係る送受信システムを示すブロック図である。
【図１２】第４実施例の送受信システムの回路図である。
【符号の説明】
【００６８】
１…送信装置、  ２…受信装置、  １０…Ｐ／Ｓ変換部、  １０ａ〜１０ｄ…入力端子、  １１…直並列変換器、  １２，１２′，１２−１，１２−２，１２′−１，１２′−２…ＱＰＳＫ変調部、  １２Ａ，１２Ａ′１２Ｂ，１２Ｂ′…変調経路、  １２Ｃ１２Ｃ′，１２Ｃ−１，１２Ｃ−２，１２Ｃ′−１，１２Ｃ′−２，２１Ｃ，２１Ｃ′，２１Ｃ−１，２１Ｃ−２，２１Ｃ′−１，２１Ｃ′−２…発振回路、  １２ａ，１２ｂ，１２ａ−１，１２ｂ−１，１２ａ−２，１２ｂ−２，２１ａ，２１ｂ…入力端、  １２ｃ…加算器、  １３，２０…アンテナ部、  １３ａ，２０ａ…増幅器、  １４…アップコンバート部、  １４ａ，２３ｂ…局部発振器、  １４ｂ，２３ｃ，１２２ａ，１２２ｂ，２１１ａ，２１１ｂ…乗算器、  １４ｃ，２３ａ…バンドバスフィルタ、  １５…多重部、  ２１，２１′，２１−１，２１−２，２１′−１，２１′−２…ＱＰＳＫ復調部、  ２１Ａ，１２Ａ′，２１Ｂ，２１Ｂ′…復調経路、  ２１ｃ，２１ｄ，２６ａ−１，２６ｂ−１，２６ａ−２，２６ｂ−２…出力端、  ２２…Ｓ／Ｐ変換部、  ２１Ｄ，２１Ｄ−１，２１Ｄ−２…ＦＰＧＡ、  ２２ａ〜２２ｄ…出力端子、  ２３…ダウンコンバート部、  ２５…分離部、  １００…記録再生装置、  １１０…表示装置、  １２１ａ，１２１ｂ，２６Ａ−１，２６Ｂ−１，２６Ａ−２，２６Ｂ−２…レベル変換器、  ２１３ａ，２１３ｂ…Ａ／Ｄ変換器。
【図１】
2006352623.tif 000003
【図２】
2006352623.tif 000004
【図３】
2006352623.tif 000005
【図４】
2006352623.tif 000006
【図５】
2006352623.tif 000007
【図６】
2006352623.tif 000008
【図７】
2006352623.tif 000009
【図８】
2006352623.tif 000010
【図９】
2006352623.tif 000011
【図１０】
2006352623.tif 000012
【図１１】
2006352623.tif 000013
【図１２】
2006352623.tif 000014